(57)【特許請求の範囲】
【請求項１】
光記録媒体の記録マークを再生する光再生装置において、再生信号のピーク位置からずれた位相のタイミングを生成するタイミング生成手段と、前記タイミングに基づいて再生信号をサンプリングし、再生信号量を出力する信号量検出手段と、複数の前記再生信号量を平均化する再生信号量平均化手段を備える事を特徴とする光再生装置。
【請求項２】
前記タイミングは周期的なクロック信号であって、その周波数は繰り返し記録された前記記録マークの周波数の４倍であることを特徴とする請求項１記載の光再生装置。
【請求項３】
前記再生信号量平均化手段から出力された平均再生信号量が所定の値に近づくように光ビームの光量を制御する制御手段を備えることを特徴とする請求項１または２記載の光再生装置。
【請求項４】
再生光量を制御するための制御パターンを記録する制御領域を備える光記録媒体において、クロックを生成するためのクロックマークを備え、前記制御パターンにおける再生信号をピーク位置からずらしてサンプリングするために、前記再生信号のピーク位置が前記クロックによる検出位相と異なるように記録マークが記録されていることを特徴とする光記録媒体。
【請求項５】
前記制御パターンの記録マークは、チャネルビット長に基づいて繰り返し記録されており、
前記クロックは、チャネルビット周波数に同期しており、
前記制御パターンにおける前記記録マークの繰り返しの周波数は、前記クロックの周波数の４分の１であることを特徴とする請求項４記載の光記録媒体。
【請求項６】
光記録媒体に記録された長マークの繰り返しと短マークの繰り返しからなる制御パターンを再生し、これらの再生信号量の比が所定値に近づくように再生光量を制御する光再生装置において、
短マークからの再生信号のピーク位置からずれた位相のタイミングを生成するタイミング生成手段と、
前記タイミングに基づいて短マークからの再生信号をサンプリングし、再生信号量を出力する信号量検出手段と、
該信号量検出手段にて得られた複数の前記再生信号量を平均化する再生信号量平均化手段とを備えることを特徴とする光再生装置。
【請求項７】
光記録媒体の制御パターンを再生し、該制御パターンからの再生信号に基づいて再生光量を制御する光記録媒体の再生方法において、
前記再生信号のピーク位置からずれた位相における複数の再生信号量を検出し、該複数の再生信号量を平均化して算出された平均再生信号量が所定の値に近づくように、再生光量を制御することを特徴とする光記録媒体の再生方法。
【発明の詳細な説明】
【０００１】
【発明の属する技術分野】
本発明は、磁気的超解像方式の光磁気ディスクに光ビームを照射し、記録マークからの再生信号量が所定の値に近づくように光ビームの光量を制御する光再生装置及び光記録媒体、並びに光記録媒体の再生方法に関するものである。
【０００２】
【従来の技術】
近年、記録層と再生層とを備えた磁気的超解像の光磁気ディスクによる高密度記録の開発が盛んである。これは、ディスクの再生層側から光ビームを照射して、再生層の所定の温度以上に温度が上昇した部分（以下、アパーチャとする）が記録層の磁化を転写することにより、光ビームのスポット径よりも小さい記録マークを再生するものである。
【０００３】
この光磁気ディスクを再生する装置において、光ビームを発生させる駆動電流を一定に保っていても、再生時の環境温度の変化に応じて光ビームの再生光量が変動してしまうことがある。そして、再生光量が強くなり過ぎるとアパーチャが大きくなり過ぎて、隣接するトラックからの再生信号のクロストークが増大し、読み取りエラーが発生する。また、再生光量が弱くなり過ぎても、読み取ろうとしているトラックからの再生信号の出力が小さくなって、やはり読み取りエラーが発生する。
【０００４】
そこで、特開平８−６３８１７号公報に開示された「光磁気記録媒体の記録再生装置及び光磁気記録媒体」では、光磁気ディスク上の長マークの繰り返しと短マークの繰り返しからなる制御パターンを再生し、この２つのマークからの再生信号量の比が所定値に近づくように再生光量を制御することによって、アパーチャの大きさを常に一定に保持し、正確な情報再生を行っている。
【０００５】
図１１はこの装置の大まかな構成を説明する図である。半導体レーザ２からの出射光ｆ’が光磁気ディスク１２に照射されると、光磁気ディスク１２上の再生光量制御用の記録マークからの反射光ｇ’がフォトダイオード３によって再生信号ａ’に変換される。再生信号ａ’はＡ／Ｄ（Ａｎａｌｏｇ／Ｄｉｇｉｔａｌ）変換器５とクロック生成回路４に入力される。クロック生成回路４は、ＰＬＬ（Ｐｈａｓｅ Ｌｏｃｋｅｄ Ｌｏｏｐ）によって再生信号ａ’に同期したクロック信号ｃ’を生成する。そして、Ａ／Ｄ変換器５において、このクロック信号ｃ’に基づいて再生信号がディジタルデータｄ’に変換される。振幅比検出回路１３は、クロック信号ｃ’によってサンプリングされるディジタルデータｄ’から振幅比ｒ’を算出して出力する。差動増幅器１０はこの振幅比ｒ’と目標値を比較し、その差ｅ’が小さくようにフィードバックを行い、再生光量制御回路１１から半導体レーザ２へ駆動電流ｉ’を出力する。このようにして、常に最適な再生光量が与えられるようにレーザ光の駆動電流ｉ’が制御される。
【０００６】
【発明が解決しようとする課題】
さて上記振幅比ｒ’を正確に求めるためには、複数の上記ディジタルデータｄ’、ｄ’、・・・を平均化する方法が最も簡単である。しかしながら、短マークの再生信号のピーク点をサンプリングして、そのディジタルデータを平均化すると振幅比の精度が上がらず、正確な再生光量の制御ができないという問題点が発生した。
【０００７】
本発明は上記問題点に鑑み、上記振幅比の精度を向上させる光再生装置と光記録媒体を提供することを目的とする。
【０００８】
【課題を解決するための手段】
上記課題を解決するために、本発明の請求項１記載の光再生装置は、光記録媒体の記録マークを再生する光再生装置において、再生信号のピーク位置からずれた位相のタイミングを生成するタイミング生成手段と、前記タイミングに基づいて再生信号をサンプリングし、再生信号量を出力する信号量検出手段と、複数の前記再生信号量を平均化する再生信号量平均化手段を備える事を特徴とする。
【０００９】
請求項２記載の光再生装置は、請求項１記載の光再生装置において、前記タイミングは周期的なクロックタイミングであって、その周波数は繰り返し記録された前記記録マークの周波数の４倍であることを特徴とする。
【００１０】
請求項３記載の光再生装置は、請求項１または２記載の光再生装置において、前記再生信号量平均化手段から出力された平均再生信号量が所定の値に近づくように光ビームの光量を制御する制御手段を備えることを特徴とする。
【００１１】
請求項４記載の光記録媒体は、再生光量を制御するための制御パターンを記録する制御領域を備える光記録媒体において、クロックを生成するためのクロックマークを備え、前記制御パターンにおける記録マークの再生信号をピーク位置からずらしてサンプリングするために、前記再生信号のピーク位置が前記クロックによる検出位相と異なることを特徴とする。
【００１２】
請求項５記載の光記録媒体は、請求項４記載の光記録媒体において、前記制御パターンの記録マークは、チャネルビット長に基づいて、繰り返し記録されており、前記クロックは、チャネルビット周波数に同期しており、前記制御パターンにおける前記記録マークの繰り返しの周波数は、前記クロックの周波数の４分の１であることを特徴とする。
【００１３】
請求項６記載の光再生装置は、光記録媒体に記録された長マークの繰り返しと短マークの繰り返しからなる制御パターンを再生し、これらの再生信号量の比が所定値に近づくように再生光量を制御する光再生装置において、短マークからの再生信号のピーク位置からずれた位相のタイミングを生成するタイミング生成手段と、前記タイミングに基づいて短マークからの再生信号をサンプリングし、再生信号量を出力する信号量検出手段と、該信号量検出手段にて得られた複数の前記再生信号量を平均化する再生信号量平均化手段とを備えることを特徴とする。
【００１４】
請求項７記載の光記録媒体の再生方法は、光記録媒体の制御パターンを再生し、該制御パターンからの再生信号に基づいて再生光量を制御する光記録媒体の再生方法において、前記再生信号のピーク位置からずれた位相における複数の再生信号量を検出し、該複数の再生信号量を平均化して算出された平均再生信号量が所定の値に近づくように、再生光量を制御することを特徴とする。
【００１５】
【発明の実施の形態】
（実施例１）
本発明の実施例１について図を用いて説明する。図１は、磁気的超解像光磁気ディスク再生装置に本発明を適用した場合の一実施形態を示す構成図である。ただし、図１１に示した従来装置と同様の機能を有する部分については、同じ番号を付記して説明を省略する。
【００１６】
図１の再生装置は、従来装置の振幅比検出回路１３に代えて、短マークの繰り返しパターン（以下短マークパターンと呼ぶ）の平均振幅値を算出する短マーク信号量平均回路６、長マークの繰り返しパターン（以下長マークパターンと呼ぶ）の平均振幅値を算出する長マーク信号量平均回路７、短マーク信号量平均回路６の出力と長マーク信号量平均回路７の出力を入力して平均振幅比を出力する割算器９、記録情報を再生するＰＲＭＬ再生回路８が付加されている。
【００１７】
クロック生成回路４は、情報の再生時はＰＲＭＬ再生を行うためのサンプリング位相のクロック信号ｃを出力し、長マークの信号量検出時は同じサンプリング位相のクロック信号ｃを出力するが、短マークの信号量検出時には異なるサンプリング位相のクロック信号ｃを選択的に出力するよう構成されている。この位相は変調方式やＰＲＭＬ再生方式により選択する。例えば、（１，７）ＲＬＬ変調方式、ＰＲ（１，２，１）再生方式の場合は同じ位相のクロック信号ｃを選択するが、ＮＲＺＩ変調方式、ＰＲ（１，１）再生方式の場合は異なる位相のクロック信号ｃを選択して出力する。これにより、短マーク信号量平均回路６は、常に短マークの再生信号のピーク位置からずれた位相における信号量を平均化する。
【００１８】
図２は、光磁気ディスク１のセクタ構造を示す模式図である。セクタ１００は、再生光量を制御するための制御領域と、情報を記録する情報記録領域１０３からなっている。制御領域は短マークパターンを記録した短マーク記録領域１０１と、長マークパターンを記録した長マーク記録領域１０２により構成されている。
【００１９】
図３は、前記短マークパターンと、長マークパターンを詳細に説明する図である。短マークパターンは、長さが２Ｔｃ（Ｔｃはチャネルビット長）の短マークと、同じ長さのスペースの繰り返しである。長マークパターンは、長さが８Ｔｃ（Ｔｃはチャネルビット長）の短マークと、同じ長さのスペースの繰り返しである。短マークの長さは光ビームの照射によって発生した再生層のアパーチャの径よりも短いが、長マークの長さはアパーチャの径よりも長い。
【００２０】
図１において、半導体レーザ２からの出射光ｆは、図２における光磁気ディスク１上のセクタ１００にアクセスされ、まず最初に短マーク記録領域１０１に照射される。短マーク記録領域１０１からの反射光ｇは、図１におけるフォトダイオード３によって再生信号ａに変換される。再生信号ａはクロック生成回路４とＡ／Ｄ変換器５にに入力される。クロック生成回路４では、再生信号ａのチャネルビット周波数に同期したクロック信号ｃが生成される。Ａ／Ｄ変換器５は、クロック生成回路４から出力されるクロック信号ｃのタイミングに基づいて再生信号ａをディジタル信号ｂに変換して、短マーク信号量平均回路６、長マーク信号量平均回路７とＰＲＭＬ再生回路８に出力する。短マーク信号量平均回路６は、再生信号のピークからずれた位相の複数の信号量を平均化することにより短マーク振幅値ｄ１を出力する。
【００２１】
次に出射光ｆは図２における長マーク記録領域１０２に照射され、短マークの場合と同様の処理が行われて、長マーク信号量平均回路７から長マーク振幅値ｄ２が出力される。割算器９は入力された短マーク振幅値ｄ１と長マーク振幅値ｄ２の比を計算して平均振幅比ｒを出力する。出力された平均振幅比ｒは差動増幅器１０にて目標値と比較され、その差ｅが小さくなるように再生光量制御回路１１にフィードバックされ、駆動電流ｉが半導体レーザ２に出力される。
【００２２】
このように、最適な再生光量が与えられるようにレーザ光の駆動電流が制御された後、出射光ｆは図２における情報記録領域１０３に照射され、読み出された再生信号ａがＡ／Ｄ変換器５を経てＰＲＭＬ再生回路８に入力されて、エラーの少ない情報を再生する。そして、出射光ｆが次のセクタに到達すると、同様の処理が繰り返されて、新たに最適な再生光量が設定される。
【００２３】
Ａ／Ｄ変換器５おける短マークパターンのサンプリング位相を図４（ａ）を用いて説明する。クロック信号ｃによって再生信号をサンプリングすると、短マークの再生信号の上側のピーク位置から前にずれた位相におけるサンプリング点（ｄｓ4i）、逆に後ろにずれた位相におけるサンプリング点（ｄｓ4i+1）、下側のピーク位置からから前にずれた位相におけるサンプリング点（ｄｓ4i+2）、逆に後ろにずれた位相におけるサンプリング点（ｄｓ4i+3）が得られる。この４種類のサンプリングデータを繰り返し検出し、複数のデータを平均化して短マークの平均信号量を算出する。この例では、クロック信号の周波数が短マークの繰り返し周波数の４倍になるように、短マークパターンが設定される。これにより、後述のようにサンプリングデータを無駄なく信号量検出のために使用することができる。
【００２４】
図５は短マーク信号量平均回路６の詳細な構成を示している。クロック毎にサンプリングされた短マークの信号量ｄｓ0、ｄｓ1，ｄｓ2，ｄｓ3，・・・，ｄｓ4i，ｄｓ4i+1，ｄｓ4i+2，ｄｓ4i+3、・・・は４Ｎ段シフトレジスタ６１に順に入力されて、記憶される。短マークの上側サンプリング点は、４サンプリング点周期で２個連続で入力されるので、ディジタル値（ｄｓ0、ｄｓ1、ｄｓ4、ｄｓ5、・・・、ｄｓ4(N-1)、ｄｓ4(N-1)+1）を加算器６２で加算し、割算器６４にて２Ｎで割ることにより上側サンプル点の平均値Ｔｓmeanが得られる。同様に、４サンプリング点周期の残りの２個のデジタル値（ｄｓ2、ｄｓ3、ｄｓ6、ｄｓ7、・・・、ｄｓ4(N-1)+2、ｄｓ4(N-1)+3）を加算器６３で加算して、割算器６５にて２Ｎで割ることにより下側サンプル点の平均値Ｂｓmeanが得られる。減算器６６にて求めたこれらの差（Ｔｓmean−Ｂｓmean）が短マークの平均振幅値ｄ１として出力される。このように、サンプリングデータを全て平均化処理に使用するため、無駄なく高速で平均振幅値ｄ１を算出することができる。
【００２５】
図４（ｂ）は長マークパターンの再生信号におけるＡ／Ｄ変換のサンプリング点を示す図である。クロック信号ｃによって再生信号をサンプリングすると、上側エンベロープのサンプリング点（ｄｌ16i、ｄｌ16i+1、ｄｌ16i+2、ｄｌ16i+3）、中間レベルのサンプリング点（ｄｌ16i+4、ｄｌ16i+5、ｄｌ16i+6、ｄｌ16i+7）、下側エンベロープのサンプリング点（ｄｌ16i+8、ｄｌ16i+9、ｄｌ16i+10、ｄｌ16i+11）、中間レベルのサンプリング点（ｄｌ16i+12、ｄｌ16i+13、ｄｌ16i+14、ｄｌ16i+15）がそれぞれ４点ずつサンプリングされる。なお、（１，７）ＲＬＬ変調方式、ＰＲ（１，２，１）再生方式の場合は長マークサンプリング位相と短マークのサンプリング位相は同じとなるが、ＮＲＺＩ変調方式、ＰＲ（１，１）再生方式の場合は位相が異なる。
【００２６】
長マーク信号量平均回路７の装置構成は、図５に示した短マーク信号量平均回路と同様なので説明は省略し、計算方法のみ述べる。図４において、長マークの上側エンベロープのサンプリングデータ（ｄｌ0、ｄｌ1、ｄｌ2、ｄｌ3、・・・・）を平均してＴｌmeanを求める。同様に、下側エンベロープのサンプリングデータ（ｄｌ8、ｄｌ9、ｄｌ10、ｄｌ11、・・・・）を平均してＢｌmeanを求める。これらの差（Ｔｌmean−Ｂｌmean）が長マークの平均振幅値として出力される。
【００２７】
このようにして検出される振幅比（Ｔｓmean−Ｂｓmean）／（Ｔｌmean−Ｂｌmean）の精度は、上述のサンプル数（４Ｎ）が多いほど向上する。光磁気ディスク上に設けられた制御領域の短マークや長マークのパターンから信号量をサンプリングする際に、このサンプル数（４Ｎ）が多いほど制御領域のバイト数（平均化バイト数）が長くなる。図６に、平均化バイト数Ｋに対する測定振幅比の精度を標準偏差により示す。
【００２８】
図７は、半導体レーザの再生光量に対する、再生情報のビットエラーレート（ＢＥＲ）及び長短マークの振幅比の実測値を示す図である。通常の光ディスク再生装置で用いられるエラー訂正処理回路の訂正能力によれば、訂正可能なビットエラーレートの上限は１Ｅ−４（１×１０-4）である。図７において、振幅比が０．０９から０．２０の範囲は、ビットエラーレートが１Ｅ−４以下となる。これを書き換えて、振幅比が０．１４５±０．０５５の範囲がエラー訂正可能となる。
【００２９】
最適な振幅比（０．１４５）に対して、例えば再生光量制御後の精度を訂正可能範囲の±２０％以下に抑える場合について以下に述べる。この精度の範囲は振幅比に換算すると、±０．０５５（訂正可能範囲）×０．２＝±０．０１１となる。したがって、サンプル数（４Ｎ）毎に平均化した振幅比のばらつきが、この範囲内に収まるように、このサンプル数（制御領域のバイト数）を決定する必要がある。この振幅比のばらつきの分布を正規分布と仮定すると、振幅比の測定値のうち９９．７％が標準偏差の３倍の振幅比の範囲に存在する。すなわち前記確率において平均振幅比の精度を±０．０１１に収めるには、標準偏差が０．００３６（０．０１１／３）以下になることが必要である。これは図６において平均化バイト数が１５バイト以上あれば、訂正可能な範囲で再生光量を制御できることになる。
【００３０】
一方、従来の再生信号のピーク位置でサンプリングした場合の、平均化バイト数に対する振幅比の精度の実測値を図８に、再生光量に対する再生情報のビットエラーレート（ＢＥＲ）及び長短マークの振幅比実測値を図９に示す。図９において、上記と同様に、ビットエラーレート１Ｅ−４以下を満たす振幅比０．２±０．０９に対して、制御誤差を±２０％に抑えるためには、標準偏差が０．００６（０．０１８／３）以下になることが必要である。よって図８より、必要な平均化バイト数は２５バイト程度となる。
【００３１】
このように、再生信号をピーク位置からずらしてサンプリングすることにより、所定の精度を得るための平均化バイト数を少なくすることができる。したがって、制御領域を短くすることができ、光記録媒体の利用効率を向上させる。また、言い換えると同じ平均化バイト数において、より高い精度により再生光量の制御を行うことが可能となる。
【００３２】
また、図４に示したようにクロック生成回路４において生成されるクロック信号ｃの周波数を短マークの繰り返し周波数の４倍にすることによって、サンプルクロック毎にサンプリングされる振幅値データを無駄なく振幅比の平均化処理に用いることができるため、短マーク信号量平均回路６のレジスタの数を抑え、装置の小型化が可能である。
【００３３】
尚、上記実施例においては、シフトレジスタを用いて所定数のディジタル振幅値をすべて入力した後に平均化計算を行う構成を示したが、これに限らず、入力されるディジタル振幅値をレジスタに保持することなく順次加算していって、最後にサンプル数で割算して平均化する構成としてもよい。
【００３４】
（実施例２）
図１０は、実施例２における光磁気ディスクのトラックフォーマットを示す図である。トラックは凹凸の案内溝１１０によって構成されており、このトラックに光磁気記録による短マークパターン、長マークパターンや情報が記録される。トラック１１０は周期的に断続されてクロックマーク１１１が形成されている。図１におけるクロック生成回路４において、このクロックマーク１１１の再生信号に同期したクロック信号ｃを生成する。このクロックマーク１１１は消去不可能なため、安定したクロック信号ｃを得ることができ、制御パターンの信号量を正確に検出することができる。さて、クロック信号ｃによるサンプリング位置が短マークの再生信号のピーク位置からずれるように、短マーク記録領域に短マークを記録する。これにより、ある装置において一度記録された制御パターンを、その他の装置においてクロックマーク１１１に基づくクロック信号ｃによって正確に検出でき、互換性を向上させることができる。
【００３５】
また上述のようにクロック信号ｃの周波数が短マークの繰り返し周波数の４倍となるように、短マークの繰り返しパターンを記録することにより、サンプリングされたデータを無駄なく使用することができる。これにより、制御領域を短くして、記録媒体の利用効率を上げることができる。
【００３６】
なお、以上の実施例においては、光磁気ディスクおよび光り再生装置の例を説明したが、これに限らず光カード、光テープやその再生装置に適用してもよい。
【００３７】
【発明の効果】
請求項１記載の光再生装置は、光記録媒体の記録マークを再生する光再生装置において、再生信号のピーク位置からずれた位相のタイミングを生成するタイミング生成手段と、前記タイミングに基づいて再生信号をサンプリングし、再生信号量を出力する信号量検出手段と、複数の前記再生信号量を平均化する再生信号量平均化手段を備える事を特徴とする。
【００３８】
これによれば、平均化された再生信号量を高い精度で検出することができる。
【００３９】
請求項２記載の光再生装置は、請求項１記載の光再生装置において、前記タイミングは周期的なクロックタイミングであって、その周波数は繰り返し記録された前記記録マークの周波数の４倍であることを特徴とする。
【００４０】
これによれば、検出された複数の前記再生信号量を無駄なく使用して平均化するため、平均化を行う回路を小型化することが可能となる。
【００４１】
請求項３記載の光再生装置は、請求項１または２記載の光再生装置において、前記再生信号量平均化手段から出力された平均再生信号量が所定の値に近づくように光ビームの光量を制御する制御手段を備えることを特徴とする。
【００４２】
この請求項３、請求項６の構成によれば、高い精度の再生信号量に基づいて光量を制御するため、エラーの少ない情報の再生を行うことができる。
【００４３】
請求項４記載の光記録媒体は、再生光量を制御するための制御パターンを記録する制御領域を備える光記録媒体において、クロックを生成するためのクロックマークを備え、前記制御パターンにおける記録マークの再生信号をピーク位置からずらしてサンプリングするために、前記再生信号のピーク位置が前記クロックによる位相と異なることを特徴とする。
【００４４】
これによれば、平均化された再生信号量を高い精度で検出することができる。
【００４５】
請求項５記載の光記録媒体は、請求項４記載の光記録媒体において、前記制御パターンの記録マークは、チャネルビット長に基づいて、繰り返し記録されており、前記クロックは、チャネルビット周波数に同期しており、前記制御パターンにおける前記記録マークの繰り返しの周波数は、前記クロックの周波数の４分の１であることを特徴とする。
【００４６】
これによれば、検出された複数の前記再生信号量を無駄なく使用して平均化するため、再生光量の制御を行うための制御領域を小さくし、光記録媒体の利用効率を向上させることが可能となる。
【００４７】
請求項７記載の光記録媒体の再生方法は、光記録媒体の制御パターンを再生し、該制御パターンからの再生信号に基づいて再生光量を制御する光記録媒体の再生方法において、前記再生信号のピーク位置からずれた位相における複数の再生信号量を検出し、該複数の再生信号量を平均化して算出された平均再生信号量が所定の値に近づくように、再生光量を制御することを特徴とする。
【００４８】
これによれば、平均化された再生信号量を高い精度で検出することができる。
【図面の簡単な説明】
【図１】本発明に実施例１における光磁気ディスク再生装置の構成図である。
【図２】図１における光磁気ディスクのセクタ構造を説明する模式図である。
【図３】図２の光磁気ディスクにおける、長マークパターンと短マークパターンを説明する模式図である。
【図４】図１における長短マークの再生信号のサンプリング点を説明する模式図である。
【図５】図１におけるにおける短マーク信号量平均回路６の詳細な構成図である。
【図６】図１の装置における、振幅比の平均化バイト数に対する振幅比の標準偏差の測定結果を示すグラフである。
【図７】図１の装置における、半導体レーザの再生光量に対する再生情報のビットエラーレート及び長短マークの振幅比の測定結果を示すグラフである。
【図８】従来例の光磁気ディスク再生装置における、振幅比の平均化バイト数に対する振幅比の標準偏差の測定結果を示すグラフである。
【図９】従来例の光磁気ディスク再生装置における、再生光量に対する再生情報のビットエラーレート及び長短マークの振幅比の測定結果を示すグラフである。
【図１０】本発明の実施例２における光磁気ディスクのトラックフォーマットを示す図である。
【図１１】従来の再生光量制御装置の構成図である。
【符号の説明】
１、１２：光磁気ディスク
２：半導体レーザ
３：フォトダイオード
４：クロック生成回路
５：Ａ／Ｄ変換器
６：短マーク信号量平均回路
７：長マーク信号量平均回路
８：ＰＲＭＬ再生回路
９：割算器
１０：差動増幅器
１１：再生光量制御回路
【図１】
0003640776.tif 000002
【図２】
0003640776.tif 000003
【図３】
0003640776.tif 000004
【図４】
0003640776.tif 000005
【図５】
0003640776.tif 000006
【図６】
0003640776.tif 000007
【図７】
0003640776.tif 000008
【図８】
0003640776.tif 000009
【図９】
0003640776.tif 000010
【図１０】
0003640776.tif 000011
【図１１】
0003640776.tif 000012